【手続補正書】
【提出日】平成26年10月17日(2014.10.17)
【手続補正１】
【補正対象書類名】特許請求の範囲
【補正対象項目名】全文
【補正方法】変更
【補正の内容】
【特許請求の範囲】
【請求項１】
自端末装置にインストールされているゲームにおいて、自端末装置にインストールされている他のゲームの特定の機能を実行させる起動部と、
前記特定の機能を実行中のゲームにおいて自ユーザと所定の関係にあるユーザを示す情報を取得するユーザ情報取得部と、
前記ユーザ情報取得部が取得した前記所定の関係にあるユーザを示す情報により示されるユーザのうち前記特定の機能を実行させたゲームへ招待されるユーザを、当該ゲームへ招待申請する招待申請情報を管理装置に対して送信する招待申請通知部と、
を備えることを特徴とする端末装置。
【請求項２】
他端末装置から前記管理装置に対して送信された前記招待申請情報のうち、前記招待されるユーザが自ユーザとなる前記招待申請情報に基づく招待通知情報を前記管理装置から取得する招待通知取得部と、
前記招待通知取得部が取得した前記招待通知情報に基づく招待情報を表示部に表示させる第２表示制御部と、
を備えることを特徴とする請求項１に記載の端末装置。
【請求項３】
前記第２表示制御部が表示させた前記招待情報のうちのいずれかに対応する前記特定の機能を実行させたゲームが自端末装置にインストールされ、且つ所定の条件が充足された場合に、前記招待情報に対応した招待成立情報を前記管理装置に対して送信する招待成立通知部、
を備えることを特徴とする請求項２に記載の端末装置。
【請求項４】
前記招待申請通知部は、
前記招待されるユーザの識別情報が関連付けられた前記招待申請情報を管理装置に対して送信し、
前記招待通知取得部は、
他端末装置から前記管理装置に対して送信された前記招待申請情報に関連付けられた前記招待されるユーザの識別情報に基づいて、前記特定の機能を実行させたゲームへ招待申請されたユーザが自ユーザとなる前記招待申請情報に基づく前記招待通知情報を前記管理装置から取得する
ことを特徴とする請求項２または３に記載の端末装置。
【請求項５】
前記招待申請通知部は、
前記特定の機能を実行中のゲームにおける自ユーザの識別情報、及び前記招待されるユーザの識別情報が関連付けられた前記招待申請情報を管理装置に対して送信する
ことを特徴とする請求項１から４の何れか一項に記載の端末装置。
【請求項６】
前記招待申請通知部は、
前記他のゲームに対して前記特定の機能を実行させたゲームにおける自ユーザの識別情報がさらに関連付けられた前記招待申請情報を管理装置に対して送信する
ことを特徴とする請求項５に記載の端末装置。
【請求項７】
前記招待申請通知部は、
前記他のゲームに対して前記特定の機能を実行させたゲームの識別情報がさらに関連付けられた前記招待申請情報を管理装置に対して送信する
ことを特徴とする請求項５または６に記載の端末装置。
【請求項８】
前記特定の機能は、
前記特定の機能を実行したゲームにおける自ユーザの識別情報を当該ゲームに対応するサーバ装置に送信することにより、前記所定の関係にあるユーザを示す情報を取得する機能を有する
ことを特徴とする請求項１から７の何れか一項に記載の端末装置。
【請求項９】
前記特定の機能は、
前記特定の機能を実行させたゲームの識別情報、及び前記特定の機能を実行させたゲームにおける自ユーザの識別情報を前記管理装置に通知する機能をさらに有する
ことを特徴とする請求項１から８の何れか一項に記載の端末装置。
【請求項１０】
一または複数のゲームを示す情報を前記管理装置から取得するアプリケーション情報取得部と、
前記アプリケーション情報取得部が取得した前記一または複数のゲームを示す情報により示されるゲームのうちの自端末装置にインストールされているゲームを示す情報を表示部に表示させる第１表示制御部と、
を備えることを特徴とする請求項１から９の何れか一項に記載の端末装置。
【請求項１１】
前記ユーザ情報取得部が取得した前記所定の関係にあるユーザを示す情報の少なくとも一部を、前記特定の機能を実行させたゲームへの招待候補となるユーザを示す情報として表示部に表示させる第３表示制御部、
を備えることを特徴とする請求項１から１０の何れか一項に記載の端末装置。
【請求項１２】
前記第３表示制御部は、
取得した前記所定の関係にあるユーザを示す情報の少なくとも一部を含む情報の表示画面を、前記特定の機能を実行させたゲームにより表示部に表示されていた表示画面から切り替わるように表示させる
ことを特徴とする請求項１１に記載の端末装置。
【請求項１３】
前記第３表示制御部は、
前記招待申請通知部が前記招待申請情報を前記管理装置に対して送信した後、前記特定の機能を実行させたゲームにより表示される表示画面へ切り替わるように、前記表示部に表示させた前記所定の関係にあるユーザを示す情報の少なくとも一部を含む情報の表示画面の表示を終了させる
ことを特徴とする請求項１２に記載の端末装置。
【請求項１４】
前記起動部の機能と、前記ユーザ情報取得部の機能と、前記招待申請通知部の機能とが、前記端末装置にインストールされるゲーム及び他のゲームのそれぞれのプログラムに組み込まれたプログラムに基づいて実行される
ことを特徴とする請求項１から１３の何れか一項に記載の端末装置。
【請求項１５】
前記端末装置にインストールされるゲームのプログラムに組み込まれたプログラムが実行されることにより、前記起動部の機能が実現され、前記端末装置にインストールされる他のゲームのプログラムに組み込まれたプログラムが実行されることにより、前記ユーザ情報取得部の機能と、前記招待申請通知部の機能とが実現される
ことを特徴とする請求項１から１４の何れか一項に記載の端末装置。
【請求項１６】
端末装置の制御方法であって、
自端末装置にインストールされているゲームにおいて、自端末装置にインストールされている他のゲームの特定の機能を実行させるステップと、
前記特定の機能を実行中のゲームにおいて自ユーザと所定の関係にあるユーザを示す情報を取得するステップと、
前記取得した前記所定の関係にあるユーザを示す情報により示されるユーザのうち前記特定の機能を実行させたゲームへ招待されるユーザを、当該ゲームへ招待申請する招待申請情報を管理装置に対して送信するステップと
を含むことを特徴とする制御方法。
【請求項１７】
コンピュータに、
自端末装置にインストールされているゲームにおいて、自端末装置にインストールされている他のゲームの特定の機能を実行させるステップと、
前記特定の機能を実行中のゲームにおいて自ユーザと所定の関係にあるユーザを示す情報を取得するステップと、
前記取得した前記所定の関係にあるユーザを示す情報により示されるユーザのうち前記特定の機能を実行させたゲームへ招待されるユーザを、当該ゲームへ招待申請する招待申請情報を管理装置に対して送信するステップと、
を実行させるためのプログラム。
【請求項１８】
ゲームのプログラムに組み込まれるプログラムであって、
コンピュータに、
自端末装置にインストールされているゲームにおいて、自端末装置にインストールされている他のゲームの特定の機能を実行させるステップと、
前記特定の機能を実行中のゲームにおいて自ユーザと所定の関係にあるユーザを示す情報を取得するステップと、
前記取得した前記所定の関係にあるユーザを示す情報により示されるユーザのうち前記特定の機能を実行させたゲームへ招待されるユーザを、当該ゲームへ招待申請する招待申請情報を管理装置に対して送信するステップと、
を実行させるためのプログラム。
【手続補正２】
【補正対象書類名】明細書
【補正対象項目名】０００８
【補正方法】変更
【補正の内容】
【０００８】
上述した課題を解決するために、本発明の一態様は、自端末装置にインストールされているゲームにおいて、自端末装置にインストールされている他のゲームの特定の機能を実行させる起動部（１６２）と、前記特定の機能を実行中のゲームにおいて自ユーザと所定の関係にあるユーザを示す情報を取得するユーザ情報取得部（１６３）と、前記ユーザ情報取得部が取得した前記所定の関係にあるユーザを示す情報により示されるユーザのうち前記特定の機能を実行させたゲームへ招待されるユーザを、当該ゲームへ招待申請する招待申請情報を管理装置（２００）に対して送信する招待申請通知部（１６４）と、を備えることを特徴とする端末装置（１００）である。
【手続補正３】
【補正対象書類名】明細書
【補正対象項目名】００１０
【補正方法】変更
【補正の内容】
【００１０】
また、本発明の一態様は、上記端末装置が、前記第２表示制御部が表示させた前記招待情報のうちのいずれかに対応する前記特定の機能を実行させたゲームが自端末装置にインストールされ、且つ所定の条件が充足された場合に、前記招待情報に対応した招待成立情報を前記管理装置に対して送信する招待成立通知部（１７１）、を備えることを特徴とする。
【手続補正４】
【補正対象書類名】明細書
【補正対象項目名】００１１
【補正方法】変更
【補正の内容】
【００１１】
また、本発明の一態様は、上記端末装置において、前記招待申請通知部が、前記招待されるユーザの識別情報が関連付けられた前記招待申請情報を管理装置に対して送信し、前記招待通知取得部が、他端末装置から前記管理装置に対して送信された前記招待申請情報に関連付けられた前記招待されるユーザの識別情報に基づいて、前記特定の機能を実行させたゲームへ招待申請されたユーザが自ユーザとなる前記招待申請情報に基づく前記招待通知情報を前記管理装置から取得することを特徴とする。
【手続補正５】
【補正対象書類名】明細書
【補正対象項目名】００１２
【補正方法】変更
【補正の内容】
【００１２】
また、本発明の一態様は、上記端末装置において、前記招待申請通知部が、前記特定の機能を実行中のゲームにおける自ユーザの識別情報、及び前記招待されるユーザの識別情報が関連付けられた前記招待申請情報を管理装置に対して送信することを特徴とする。
【手続補正６】
【補正対象書類名】明細書
【補正対象項目名】００１３
【補正方法】変更
【補正の内容】
【００１３】
また、本発明の一態様は、上記端末装置において、前記招待申請通知部が、前記他のゲームに対して前記特定の機能を実行させたゲームにおける自ユーザの識別情報がさらに関連付けられた前記招待申請情報を管理装置に対して送信することを特徴とする。
【手続補正７】
【補正対象書類名】明細書
【補正対象項目名】００１４
【補正方法】変更
【補正の内容】
【００１４】
また、本発明の一態様は、上記端末装置において、前記招待申請通知部が、前記他のゲームに対して前記特定の機能を実行させたゲームの識別情報がさらに関連付けられた前記招待申請情報を管理装置に対して送信することを特徴とする。
【手続補正８】
【補正対象書類名】明細書
【補正対象項目名】００１５
【補正方法】変更
【補正の内容】
【００１５】
また、本発明の一態様は、上記端末装置において、前記特定の機能が、前記特定の機能を実行したゲームにおける自ユーザの識別情報を当該ゲームに対応するサーバ装置に送信することにより、前記所定の関係にあるユーザを示す情報を取得する機能を有することを特徴とする。
【手続補正９】
【補正対象書類名】明細書
【補正対象項目名】００１６
【補正方法】変更
【補正の内容】
【００１６】
また、本発明の一態様は、上記端末装置において、前記特定の機能が、前記特定の機能を実行させたゲームの識別情報、及び前記特定の機能を実行させたゲームにおける自ユーザの識別情報を前記管理装置に通知する機能をさらに有することを特徴とする。
【手続補正１０】
【補正対象書類名】明細書
【補正対象項目名】００１７
【補正方法】変更
【補正の内容】
【００１７】
また、本発明の一態様は、上記端末装置が、一または複数のゲームを示す情報を前記管理装置から取得するアプリケーション情報取得部と、前記アプリケーション情報取得部が取得した前記一または複数のゲームを示す情報により示されるゲームのうちの自端末装置にインストールされているゲームを示す情報を表示部に表示させる第１表示制御部（１６８）と、を備えることを特徴とする。
【手続補正１１】
【補正対象書類名】明細書
【補正対象項目名】００１８
【補正方法】変更
【補正の内容】
【００１８】
また、本発明の一態様は、上記端末装置が、前記ユーザ情報取得部が取得した前記所定の関係にあるユーザを示す情報の少なくとも一部を、前記特定の機能を実行させたゲームへの招待候補となるユーザを示す情報として表示部に表示させる第３表示制御部（１６８）、を備えることを特徴とする。
【手続補正１２】
【補正対象書類名】明細書
【補正対象項目名】００１９
【補正方法】変更
【補正の内容】
【００１９】
また、本発明の一態様は、上記端末装置において、前記第３表示制御部が、取得した前記所定の関係にあるユーザを示す情報の少なくとも一部を含む情報の表示画面を、前記特定の機能を実行させたゲームにより表示部に表示されていた表示画面から切り替わるように表示させることを特徴とする。
【手続補正１３】
【補正対象書類名】明細書
【補正対象項目名】００２０
【補正方法】変更
【補正の内容】
【００２０】
また、本発明の一態様は、上記端末装置において、前記第３表示制御部が、前記招待申請通知部が前記招待申請情報を前記管理装置に対して送信した後、前記特定の機能を実行させたゲームにより表示される表示画面へ切り替わるように、前記表示部に表示させた前記所定の関係にあるユーザを示す情報の少なくとも一部を含む情報の表示画面の表示を終了させることを特徴とする。
【手続補正１４】
【補正対象書類名】明細書
【補正対象項目名】００２１
【補正方法】変更
【補正の内容】
【００２１】
また、本発明の一態様は、上記端末装置において、前記起動部の機能と、前記ユーザ情報取得部の機能と、前記招待申請通知部の機能とが、前記端末装置にインストールされるゲーム及び他のゲームのそれぞれのプログラムに組み込まれたプログラムに基づいて実行されることを特徴とする。
【手続補正１５】
【補正対象書類名】明細書
【補正対象項目名】００２２
【補正方法】変更
【補正の内容】
【００２２】
また、本発明の一態様は、上記端末装置において、前記端末装置にインストールされるゲームのプログラムに組み込まれたプログラムが実行されることにより、前記起動部の機能が実現され、前記端末装置にインストールされる他のゲームのプログラムに組み込まれたプログラムが実行されることにより、前記ユーザ情報取得部の機能と、前記招待申請通知部の機能とが実現されることを特徴とする。
【手続補正１６】
【補正対象書類名】明細書
【補正対象項目名】００２３
【補正方法】変更
【補正の内容】
【００２３】
また、本発明の一態様は、端末装置の制御方法であって、自端末装置にインストールされているゲームにおいて、自端末装置にインストールされている他のゲームの特定の機能を実行させるステップと、前記特定の機能を実行中のゲームにおいて自ユーザと所定の関係にあるユーザを示す情報を取得するステップと、前記取得した前記所定の関係にあるユーザを示す情報により示されるユーザのうち前記特定の機能を実行させたゲームへ招待されるユーザを、当該ゲームへ招待申請する招待申請情報を管理装置に対して送信するステップと、を含むことを特徴とする制御方法である。
【手続補正１７】
【補正対象書類名】明細書
【補正対象項目名】００２４
【補正方法】変更
【補正の内容】
【００２４】
また、本発明の一態様は、コンピュータに、自端末装置にインストールされているゲームにおいて、自端末装置にインストールされている他のゲームの特定の機能を実行させるステップと、前記特定の機能を実行中のゲームにおいて自ユーザと所定の関係にあるユーザを示す情報を取得するステップと、前記取得した前記所定の関係にあるユーザを示す情報により示されるユーザのうち前記特定の機能を実行させたゲームへ招待されるユーザを、当該ゲームへ招待申請する招待申請情報を管理装置に対して送信するステップと、を実行させるためのプログラムである。
【手続補正１８】
【補正対象書類名】明細書
【補正対象項目名】００２５
【補正方法】変更
【補正の内容】
【００２５】
また、本発明の一態様は、ゲームのプログラムに組み込まれるプログラムであって、コンピュータに、自端末装置にインストールされているゲームにおいて、自端末装置にインストールされている他のゲームの特定の機能を実行させるステップと、前記特定の機能を実行中のゲームにおいて自ユーザと所定の関係にあるユーザを示す情報を取得するステップと、前記取得した前記所定の関係にあるユーザを示す情報により示されるユーザのうち前記特定の機能を実行させたゲームへ招待されるユーザを、当該ゲームへ招待申請する招待申請情報を管理装置に対して送信するステップと、を実行させるためのプログラムである。